(57)【要約】【課題】      座り心地がよく、風等で飛ばない釣り用クッションを提供すること。【解決手段】  合成樹脂の柔軟性を有するシ−トで皿状に形成された上部１と同材の底部２が周囲の接合部１ａ、２ａで固定されて上部１の上面が座り面１ｂとなる。  上部１と底部２の中に合成樹脂発泡体で形成されたクッション材３が収容され、釣り用クッションの中の底部２の上には金属、非金属や合成樹脂で形成された板状体の重り４が固定されて底部２の下面の表面２ｂには中心から四方に延設するようにリブからなる支持部２ｃが形成され、支持部２ｃの内側の表面２ｄには表面層Ｈの材料より柔らかい材料で形成された底部層５が添着固定されて底部層５に開口側に向けて徐々に深さが浅くなるように形成した複数の凹部５ｄとその開口の周縁に沿って凸部５ｅが形成されている。【選択図】        図４
2006067843.tif 000002
【特許請求の範囲】
【請求項１】
合成樹脂の表面層を有する釣り用クッションにおいて、釣り用クッションの底部の表面に沿って前記表面層より柔らかい合成樹脂からなる底部層を添着すると共に、前記底部層の表面に開口側に向けて徐々に深さが浅くなるように形成した凹部を設けたことを特徴とする釣り用クッション。
【請求項２】
底部層は凹部の開口の周縁に沿って凸部が形成されていることを特徴とする請求項１記載の釣り用クッション。
【請求項３】
合成樹脂の表面層を有する釣り用クッションにおいて、釣り用クッションの底部側に重りを設けたことを特徴とする釣り用クッション。
【発明の詳細な説明】
【技術分野】
【０００１】
本発明は、座って行う釣りに用いる釣り用クッションの改良に関する。
【背景技術】
【０００２】
従来から釣りを行うときは適当な釣り座が設けられていないことが多く、例えば、釣り船の椅子に座って釣りをするときや釣り用ク−ラ−の上に座って釣りをする時でもこれらの表面は硬く、長時間座り続けるには適さないため、釣り用クッションを敷いて座ることが多々ある。
例えば特許文献１には表面を塩化ビニ−ル等のカバ−で覆い発泡材等のクッション材を内蔵した釣り用クッションが紹介されている。
この釣り用クッションはその弾力性により長時間座っていても疲れにくいが、底部が滑りやすく軽いため座っていないと風などで飛ばされやすいという欠点を有していた。
また、釣り用クッションの底部に吸盤を取り付けたものもあるが、釣り用クッションの底部から下方に吸盤が突出するように設けられているため、この釣り用クッションに座ると吸盤部分がぐらついて安定しないという欠点があった。
【特許文献１】特開平１０−２１１０６０公報
【発明の開示】
【発明が解決しようとする課題】
【０００３】
解決しようとする問題点は、従来の釣り用クッションは底部が滑りやすく、また、軽いため座っていないと風などで飛ばされやすいこと。
また、釣り用クッションの底部に吸盤を取り付けたものは、座ると吸盤部分の突き上げがあり座り心地が悪く、また、吸盤を設けた部分がぐらついて安定しないこと。
である。
【０００４】
本発明の目的は前記欠点に鑑み、座り心地がよく、風等で飛ばない釣り用クッションを提供することである。
【課題を解決するための手段】
【０００５】
本発明の請求項１は、合成樹脂の表面層を有する釣り用クッションにおいて、釣り用クッションの底部の表面に沿って前記表面層より柔らかい合成樹脂からなる底部層を添着すると共に、前記底部層の表面に開口側に向けて徐々に深さが浅くなるように形成した凹部を設けたことを要旨とするものである。
本発明の請求項２は、底部層は凹部の開口の周縁に沿って凸部が形成されていることを要旨とするものである。
本発明の請求項３は、合成樹脂の表面層を有する釣り用クッションにおいて、釣り用クッションの底部側に重りを設けたことを要旨とするものである。
【発明の効果】
【０００６】
本発明により、釣り用クッションの底部に底部層が添着され底部層は凹部を有しているため、底部の滑りが防止され、座り心地が良く、座ったときにぐらつかず安定する。
釣り用クッションの底部側に重りを設けたことにより、重量が増し、また、重心が底部側に下がることで置いた釣り用クッションが風等で動くことが防止される。
【発明を実施するための最良の形態】
【０００７】
釣り用クッションは塩化ビニ−ル、ポリウレタンやエチレン酢酸ビニ−ル等の合成樹脂の柔軟性を有するシ−トで皿状に形成された上部１と同材の底部２が周囲の接合部１ａ、２ａで固定され、合成樹脂の上部１と底部２が表面層Ｈを形成している。
上部１の上面が座り面１ｂとなる。
上部１と底部２の中にポリウレタンやエチレン酢酸ビニ−ル等の合成樹脂発泡体で形成されたクッション材３が収容されている。
釣り用クッションＡ内部の底部２の上には金属、非金属や合成樹脂で形成された板状体の重り４が固定されている。
底部２の下面の表面２ｂには四葉状に中心から四方に延設するようにリブからなる支持部２ｃが形成されている。
リブからなる支持部２ｃの内側の表面２ｄには表面層Ｈの材料より柔らかい材料で形成された底部層５が添着固定されている。
底部層５の形状はリブからなる支持部２ｃの形状に合わせて四葉状に中心部５ａから四方に延設された四葉状の延設部５ｂで形成されている。
底部層５の表面５ｃで且つ中央側と中心部５ａから四方に延設された夫々の延設部５ｂには、開口側に向けて徐々に深さが浅くなるように形成した複数の凹部５ｄが形成されている。
凹部５ｄの開口の周縁に沿って凸部５ｅが形成されている。
【実施例１】
【０００８】
以下、図示の実施例によって本発明を説明すると、図１から図５は第１実施例で、図１は釣り用クッションの斜視図、図２は釣り用クッションの底面図、図３は図２のＦ３−Ｆ３断面線の断面側面図、図４は図３の要部拡大断面側面図、図５の（ａ）、（ｂ）は釣り用クッションの底部を成形する金型の断面側面図で、（ｃ）、（ｄ）は釣り用クッションの底部の表面に沿って底部層を成形添着する金型の断面側面図である。
【０００９】
釣り用クッションは塩化ビニ−ル、ポリウレタンやエチレン酢酸ビニ−ル等の合成樹脂の柔軟性を有するシ−トで皿状に形成された上部１と同材の底部２が周囲の接合部１ａ、２ａで固定され、合成樹脂の上部１と底部２が表面層Ｈを形成している。
上部１の上面が座り面１ｂとなる。
上部１と底部２の中にポリウレタンやエチレン酢酸ビニ−ル等の合成樹脂発泡体で形成されたクッション材３が収容されている。
釣り用クッションＡ内部の底部２の上には金属、非金属や合成樹脂で形成された板状体の重り４が固定されている。
底部２の下面の表面２ｂには四葉状に中心から四方に延設するようにリブからなる支持部２ｃが形成されている。
リブからなる支持部２ｃの内側の表面２ｄには表面層Ｈの材料より柔らかく、粘弾性を有する材料で形成された底部層５が添着固定されている。
底部層５の形状はリブからなる支持部２ｃの形状に合わせて四葉状に中心部５ａから四方に延設された四葉状の延設部５ｂで形成されている。
底部層５の表面５ｃで且つ中央側と中心部５ａから四方に延設された夫々の延設部５ｂには、開口側に向けて徐々に深さが浅くなるように形成した複数の凹部５ｄが形成されている。
凹部５ｄの開口の周縁に沿って凸部５ｅが形成されている。
【００１０】
底部層５は表面層Ｈと同種の合成樹脂を用いるのが好ましく、例えば表面層Ｈがエチレン酢酸ビニ−ルの場合、底部層５は、表面層Ｈより可塑剤を多く含んだエチレン酢酸ビニ−ルを用いて表面層Ｈより柔らかくすることができ、図５（ｃ）、（ｄ）のように、下金型６と上金型８を用いて底部２の表面２ｂの上に溶融した底部層５の構成材料を流し込んで層状に添着させて形成される。
図５（ａ）、（ｂ）では底部２を金型で成形する場合を示し、溶融した底部２の構成材料を流し込んでもよいし、ポリウレタンやエチレン酢酸ビニ−ル等の合成樹脂の柔軟性を有するシ−トを下金型６と上金型７にはめ込んで高周波加熱処理で成形してもよい。
加熱処理の場合上金型７の湯口は省略され、高周波加熱装置が取り付けられる。
図５では下金型６の上で底部２が成形され、その後底部２の上に上金型８がはめ込まれて底部層５が成形される。
【００１１】
釣り用クッションは上部１と底部２の中にポリウレタンやエチレン酢酸ビニ−ル等の合成樹脂発泡体で形成されたクッション材３が収容されているので、上部１の座り面１ｂに尻を降ろすと座った時の衝撃をクッション材３で緩和される。
底部層５は表面層Ｈの材料より柔らかい材料で形成されているので、表面５ｃが接地されるとそれ自身の柔らかさで滑りが防止される。
さらに、底部層５の表面５ｃには開口側に向けて徐々に深さが浅くなるように形成した複数の凹部５ｄが形成されているので、表面５ｃが接地されて底部層５が押圧されると、凹部５ｄ内の空気が追い出され、凹部５ｄの開口の周縁に凹部５ｄを囲うように設けられた凸部５ｅが変形しながら接地した部分に密着し凹部５ｄ内に独立した空間を作り出すことで接地した部分に吸着し吸盤と同様の作用効果を有するので釣り用クッションの移動を規制する。
底部層５の周囲に沿って底部２の表面２ｂから下方へ一体に突出したリブからなる支持部２ｃを有しているので、この支持部２ｃは底部層５を設ける時の位置決めとなると共に、取り付けた底部層５の剥離を防止する。
また、底部層５は支持部２ｃより下方に突出するためその表面（接地側）側は変形しながら荷重を緩和し釣り用クッションの動きを止めるようになっている。
底部層５は釣り用クッションの底部２に添着され層状に形成されているため、底部２からの突出が小さく、載置された釣り用クッションは座ったときにぐらつかず安定する。
底部層５の形状、凹部５ｄの位置、個数は適宜変更できる。
例えば底部層は底部２全面に設けてもよい。
【００１２】
更に、釣り用クッションの表面層Ｈで囲まれた内部の底部２側にはクッション材３や表面層Ｈの材料より比重の大きい材料からなる重り４が収納されているから、重り４は、クッション材３や表面層Ｈの材料より比重の大きい材料の金属、非金属や合成樹脂等からなり、板状体に形成し、底部層５の凹部５ｄに対応した位置に設けられる。
この重り４によって重量が増し、重心が底部２側に下がることで釣場の座る位置に置いた釣り用クッションが風等で動くことが防止される。
【００１３】
前記のように釣り用クッションが構成されると、釣り用クッションの底部２に底部層５が添着され底部層５は凹部５ｄを有しているため、釣り用クッションが風等で動いてしまうことが防止され、座り心地が良く、座ったときにぐらつかず安定する。
釣り用クッションの底部２側に重り４を設けたことにより、重量が増し、また、重心が底部２側に下がることで置いた釣り用クッションが風等で動くことが防止される。
【実施例２】
【００１４】
図６は第２実施例で、図６は釣り用クッションの要部拡大断面側面図である。
【００１５】
第２実施例では、釣り用クッションの底部２の下面の表面２ｂには四葉状に中心から四方に延設するようにリブからなる支持部２ｃが形成されて支持部２ｃの内側に底部層５が設けられると共に、リブからなる支持部２ｃの外側の下面の表面２ｂに重り９が固定されている。
重り９の外側の形状は底部２と略同一形状に形成されている。
他の構成は前記第１実施例と略同一である。
【産業上の利用可能性】
【００１６】
本発明は釣り用クッション全般に利用できる。
【図面の簡単な説明】
【００１７】
【図１】第１実施例で、釣り用クッションの斜視図である。
【図２】同釣り用クッションの底面図である。
【図３】同図２のＦ３−Ｆ３断面線の断面側面図である。
【図４】同図３の要部拡大断面側面図である。
【図５】同（ａ）、（ｂ）は釣り用クッションの底部を成形する金型の断面側面図で、（ｃ）、（ｄ）は釣り用クッションの底部の表面に沿って底部層を成形添着する金型の断面側面図である。
【図６】第２実施例で、釣り用クッションの要部拡大断面側面図である。
【符号の説明】
【００１８】
１  上部
２  底部
３  クッション材
４、９  重り
５  底部層
５ｄ  凹部
５ｅ  凸部
Ｈ  表面層
【図１】
2006067843.tif 000003
【図２】
2006067843.tif 000004
【図３】
2006067843.tif 000005
【図４】
2006067843.tif 000006
【図５】
2006067843.tif 000007
【図６】
2006067843.tif 000008